【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
被写体を撮影する撮影手段と、
前記撮影手段により前記被写体を撮影した際の撮影条件を記録する撮影条件記録手段と、
前記撮影条件記録手段に記録された前記撮影条件の履歴を解析する撮影条件履歴解析手段と、
前記撮影手段の撮影条件を規定する複数の撮影モードを再生する撮影モード再生手段と、
前記撮影モード再生手段により再生される複数の撮影モードの中から何れか一の撮影モードを選択するモード選択手段と、
前記撮影条件履歴解析手段による解析結果に基づいて、前記撮影モード再生手段により再生される前記撮影モードの順番を変更する再生順変更手段と、
を備えることを特徴とする撮影装置。
【請求項２】
前記撮影条件履歴解析手段は、前記再生順変更手段による前記撮影モードの順序の変更に係る変更基準情報を生成する変更基準情報生成手段を備え、
前記再生順変更手段は、前記変更基準情報生成手段により生成された前記変更基準情報に基づいて、前記撮影モードの再生順を変更することを特徴とする請求項１に記載の撮影装置。
【請求項３】
前記変更基準情報は、前記撮影手段による撮影の際の使用頻度が高い撮影条件に基づいて規定されていることを特徴とする請求項２に記載の撮影装置。
【請求項４】
前記変更基準情報は、前記撮影手段による撮影の際の前記撮影条件の使用頻度に応じて規定される複数の基準情報を有し、
前記再生順変更手段は、前記複数の基準情報に基づいて、前記撮影モードの再生順を変更することを特徴とする請求項２又は３に記載の撮影装置。
【請求項５】
前記撮影条件記録手段に記録された前記複数の撮影条件の中で、前記撮影条件履歴解析手段による解析対象となる所定数の撮影条件を指定する解析対象指定手段を備えることを特徴とする請求項１乃至４の何れか１項に記載の撮影装置。
【請求項６】
前記モード選択手段により選択された前記撮影モードの前記撮影条件を調整する撮影条件調整手段を備え、
前記撮影条件記録手段は、前記撮影条件調整手段により前記撮影条件が調整された前記撮影モードで、前記撮影手段により前記被写体を撮影した際の撮影条件を記録する調整後撮影条件記録手段を備えることを特徴とする請求項１乃至５の何れか１項に記載の撮影装置。
【請求項７】
前記撮影条件を入力して撮影モードを設定する撮影モード設定手段を備え、
前記撮影条件記録手段は、前記撮影モード設定手段により設定された前記撮影モードで、前記撮影手段により前記被写体を撮影した際の撮影条件を記録する設定後撮影条件記録手段を備えることを特徴とする請求項１乃至６の何れか１項に記載の撮影装置。
【請求項８】
前記再生順変更手段による変更前後の撮影モードの再生順を切り替える再生順切替手段を備えることを特徴とする請求項１乃至７の何れか１項に記載の撮影装置。
【請求項９】
前記撮影モード再生手段による前記撮影モードの再生に基づいて、前記撮影モードを所定表示部に表示制御する撮影モード表示制御手段を備えることを特徴とする請求項１乃至８の何れか１項に記載の撮影装置。
【請求項１０】
前記複数の撮影モードを所定表示部に一覧表示制御する一覧表示制御手段を備えることを特徴とする請求項１乃至９の何れか１項に記載の撮影装置。
【請求項１１】
被写体を撮影する撮影手段と、
前記撮影手段により前記被写体を撮影した際の撮影条件を記録する撮影条件記録手段と、
前記撮影条件記録手段に記録された前記撮影条件の履歴を解析する撮影条件履歴解析手段と、
前記撮影手段の撮影条件を規定する複数の撮影モードを再生する撮影モード再生手段と、
前記撮影モード再生手段で再生させた複数の撮影モードの中から何れか一の撮影モードを選択するモード選択手段と、
前記撮影条件履歴解析手段による解析結果に基づいて、前記撮影モード再生手段により再生される前記撮影モードの再生の有無を設定する再生有無設定手段と、
を備えることを特徴とする撮影装置。
【請求項１２】
被写体を撮影する撮影手段と、前記撮影手段により前記被写体を撮影した際の撮影条件を記録する撮影条件記録手段とを備え、前記撮影手段の撮影条件を規定する複数の撮影モードを再生する処理を行う撮影装置を用いた撮影モード表示方法であって、
前記撮影装置は、再生される複数の撮影モードの中から何れか一の撮影モードを選択するモード選択手段を備え、
前記撮影条件記録手段に記録された前記撮影条件の履歴を解析する処理と、
前記撮影条件の履歴の解析結果に基づいて、再生される前記撮影モードの順番を変更する処理と、
を行うことを特徴とする撮影モード表示方法。
【請求項１３】
被写体を撮影する撮影手段と、前記撮影手段により前記被写体を撮影した際の撮影条件を記録する撮影条件記録手段と、前記撮影手段の撮影条件を規定する複数の撮影モードを再生する撮影モード再生手段と、前記撮影モード再生手段により再生される複数の撮影モードの中から何れか一の撮影モードを選択するモード選択手段とを備える撮影装置に、
前記撮影条件記録手段に記録された前記撮影条件の履歴を解析する機能と、
前記撮影条件の履歴の解析結果に基づいて、前記撮影モード再生手段により再生される前記撮影モードの順番を変更する機能と、
を実現させることを特徴とするプログラム。
【手続補正２】
【補正対象書類名】明細書
【補正対象項目名】０００７
【補正方法】変更
【補正の内容】
【０００７】
請求項１に記載の発明の撮影装置（例えば、図１のデジタルカメラ１００等）は、被写体を撮影する撮影手段（例えば、図２のＣＣＤ７等）と、前記撮影手段により前記被写体を撮影した際の撮影条件を記録する撮影条件記録手段（例えば、図２の記憶部１５等）と、前記撮影条件記録手段に記録された前記撮影条件の履歴を解析する撮影条件履歴解析手段（例えば、図２のＣＰＵ１６等）と、前記撮影手段の撮影条件を規定する複数の撮影モードを再生する撮影モード再生手段（例えば、図２のＣＰＵ１６等）と、前記撮影モード再生手段により再生される複数の撮影モードの中から何れか一の撮影モードを選択するモード選択手段（例えば、図１の操作キー６１等）と、前記撮影条件履歴解析手段による解析結果に基づいて、前記撮影モード再生手段により再生される前記撮影モードの順番を変更する再生順変更手段（例えば、図２のＣＰＵ１６等）と、を備えることを特徴とする。
【手続補正３】
【補正対象書類名】明細書
【補正対象項目名】０００８
【補正方法】変更
【補正の内容】
【０００８】
請求項２に記載の発明は、請求項１に記載の撮影装置において、前記撮影条件履歴解析手段は、前記再生順変更手段による前記撮影モードの順序の変更に係る変更基準情報を生成する変更基準情報生成手段（例えば、図２のＣＰＵ１６等）を備え、前記再生順変更手段は、前記変更基準情報生成手段により生成された前記変更基準情報に基づいて、前記撮影モードの再生順を変更することを特徴とする。
【手続補正４】
【補正対象書類名】明細書
【補正対象項目名】０００９
【補正方法】変更
【補正の内容】
【０００９】
請求項３に記載の発明は、請求項２に記載の撮影装置において、前記変更基準情報は、前記撮影手段による撮影の際の使用頻度が高い撮影条件に基づいて規定されていることを特徴とする。
【手続補正５】
【補正対象書類名】明細書
【補正対象項目名】００１０
【補正方法】変更
【補正の内容】
【００１０】
請求項４に記載の発明は、請求項２又は３に記載の撮影装置において、前記変更基準情報は、前記撮影手段による撮影の際の前記撮影条件の使用頻度に応じて規定される複数の基準情報を有し、前記再生順変更手段は、前記複数の基準情報に基づいて、前記撮影モードの再生順を変更することを特徴とする。
【手続補正６】
【補正対象書類名】明細書
【補正対象項目名】００１１
【補正方法】変更
【補正の内容】
【００１１】
請求項５に記載の発明は、請求項１〜４の何れか一項に記載の撮影装置において、前記撮影条件記録手段に記録された前記複数の撮影条件の中で、前記撮影条件履歴解析手段による解析対象となる所定数の撮影条件を指定する解析対象指定手段（例えば、図１の操作キー６１等）を備えることを特徴とする。
【手続補正７】
【補正対象書類名】明細書
【補正対象項目名】００１２
【補正方法】変更
【補正の内容】
【００１２】
請求項６に記載の発明は、請求項１〜５の何れか一項に記載の撮影装置において、前記モード選択手段により選択された前記撮影モードの前記撮影条件を調整する撮影条件調整手段（例えば、図１の操作キー６１等）を備え、前記撮影条件記録手段は、前記撮影条件調整手段により前記撮影条件が調整された前記撮影モードで、前記撮影手段により前記被写体を撮影した際の撮影条件を記録する調整後撮影条件記録手段（例えば、図２の記憶部１５等）を備えることを特徴とする。
【手続補正８】
【補正対象書類名】明細書
【補正対象項目名】００１３
【補正方法】変更
【補正の内容】
【００１３】
請求項７に記載の発明は、請求項１〜６の何れか一項に記載の撮影装置において、前記撮影条件を入力して撮影モードを設定する撮影モード設定手段（例えば、図１の操作キー６１等）を備え、前記撮影条件記録手段は、前記撮影モード設定手段により設定された前記撮影モードで、前記撮影手段により前記被写体を撮影した際の撮影条件を記録する設定後撮影条件記録手段（例えば、図２の記憶部１５等）を備えることを特徴とする。
【手続補正９】
【補正対象書類名】明細書
【補正対象項目名】００１４
【補正方法】変更
【補正の内容】
【００１４】
請求項８に記載の発明は、請求項１〜７の何れか一項に記載の撮影装置において、前記再生順変更手段による変更前後の撮影モードの再生順を切り替える再生順切替手段（例えば、図２のＣＰＵ１６等）を備えることを特徴とする。
【手続補正１０】
【補正対象書類名】明細書
【補正対象項目名】００１５
【補正方法】変更
【補正の内容】
【００１５】
請求項９に記載の発明は、請求項１〜８の何れか一項に記載の撮影装置において、前記撮影モード再生手段による前記撮影モードの再生に基づいて、前記撮影モードを所定表示部に表示制御する撮影モード表示制御手段（例えば、図２のＣＰＵ１６等）を備えることを特徴とする。
【手続補正１１】
【補正対象書類名】明細書
【補正対象項目名】００１６
【補正方法】変更
【補正の内容】
【００１６】
請求項１０に記載の発明は、請求項１〜９の何れか一項に記載の撮影装置において、前記複数の撮影モードを所定表示部に一覧表示制御する一覧表示制御手段（例えば、図２のＣＰＵ１６等）を備えることを特徴とする。